(57)【特許請求の範囲】
【請求項１】
第１の配線基板に固定される第１のハウジング、及び、各々が上記第１の配線基板に設けられた配線端子部に接続される基板接続部を有して上記第１のハウジングに配列配置された複数の第１のコンタクトを備えた第１のコネクタと、
第２の配線基板に固定され、上記第１のハウジングとの係合状態をとる第２のハウジング，各々が上記第２の配線基板に設けられた配線端子部に接続される基板接続部を有して上記第２のハウジングに配列配置され、上記複数の第１のコンタクトに夫々接触接続される状態をとる複数の第２のコンタクト、及び、上記第２のハウジングに対して移動可能に設けられて押込み位置と引揚げ位置とを選択的にとる可動操作部材を備えた第２のコネクタと、
を含んで構成され、
上記第１のハウジングに第１の係合係止部が設けられるとともに、上記第２のハウジ  ングに第２の係合係止部が設けられ、
上記第２のハウジングが上記第１のハウジングとの係合状態をとるとき、上記複数の第２のコンタクトが上記複数の第１のコンタクトに夫々接触接続されて、上記第２の配線基板が上記第１の配線基板に電気的に連結されるとともに、上記第２の係合係止部が上記第１の係合係止部に係合して上記第２のハウジングを上記第１のハウジングに対して係止し、
上記第２の係合係止部が上記第１の係合係止部に対する係合状態をとるもとで、上記可動操作部材が上記押込み位置をとるとき、該可動操作部材によって上記第２の係合係止部の上記第１の係合係止部に対する係合状態の解除が禁止され、上記可動操作部材が上記引揚げ位置をとるとき、上記第２の係合係止部の上記第１の係合係止部に対する係合状態の解除が許容されることを特徴とする配線基板連結装置。
【請求項２】
上記第２のハウジングが上記第１のハウジングとの係合状態をとるもとで、上記第２の係合係止部が上記第１の係合係止部に対して移動可能とされ、上記可動操作部材が上記押込み位置をとるとき、該可動操作部材が上記第２の係合係止部の上記第１の係合係止部に対する移動を阻止することにより、上記第２の係合係止部の上記第１の係合係止部に対する係合状態の解除が禁止されることを特徴とする請求項１記載の配線基板連結装置。
【請求項３】
上記第１の係合係止部が上記第１のハウジングに固定されて設けられ、上記第２の係合係止部が上記第２のハウジングに形成された弾性支持部の先端部に設けられることを特徴とする請求項２記載の配線基板連結装置。
【請求項４】
上記可動操作部材が、上記複数の第２のコンタクトの配列方向に伸びる棒状部材とされ、上記押込み位置をとるとき、上記棒状部材の端部を上記第２の係合係止部に当接させて、上記第２の係合係止部の上記第１の係合係止部に対する移動を阻止することを特徴とする請求項２記載の配線基板連結装置。
【請求項５】
上記棒状部材が、上記複数の第２のコンタクトの配列方向に沿う中間部分と該中間部分の両端部に夫々設けられた屈曲部分とを有し、上記中間部分が、上記可動操作部材が上記押込み位置をとるとき上記第２の配線基板に設けられた透孔内に配されるとともに、上記可動操作部材が上記引揚げ位置をとるとき上記透孔から上記第２の配線基板外に突出し、上記屈曲部分が上記中間部分から上記第２のハウジング内に伸びて上記端部を形成することを特徴とする請求項４記載の配線基板連結装置。
【請求項６】
上記第１のハウジングに、上記可動操作部材が上記引揚げ位置をとるとき上記棒状部材における上記屈曲部分に当接して、該屈曲部分についての位置規制を行う固定位置規制部材が設けられたことを特徴とする請求項５記載の配線基板連結装置。
【請求項７】
上記第１のコネクタが、上記第１のハウジングの上記第１のコンタクトの配列方向における両端部の夫々に上記第１の係合係止部が設けられたものとされるとともに、上記第２のコネクタが、上記第２のハウジングの上記第２のコンタクトの配列方向における両端部の夫々に上記第２の係合係止部が設けられたものとされ、上記第２の係合係止部が上記第１の係合係止部に対する係合状態をとるもとで、上記可動操作部材が上記押込み位置をとるとき、該可動操作部材の上記第２のコンタクトの配列方向における両端部の夫々によって上記第２の係合係止部の上記第１の係合係止部に対する係合状態の解除が禁止されることを特徴とする請求項１記載の配線基板連結装置。
【発明の詳細な説明】
【技術分野】
【０００１】
本願の特許請求の範囲に記載された発明は、二つの配線基板が相互に対面近接して重ね合わせられるもとで、各配線基板に設けられた配線端子部に電気的に相互接続された状態をとらせて、両配線基板を連結する配線基板連結装置に関する。
【背景技術】
【０００２】
携帯電話機等の比較的小型な電子機器においても、種々の電子部品が多数内蔵されるが、それらの電子部品の多くは複数の配線基板に実装されて、各々の機能を果たすものとされる。各種の電子部品が実装された複数の配線基板は、例えば、それらのうちの二つについて見ると、比較的小型な電子機器の内部という限られたスペースに収容されるにあたっては、占有容積をできるだけ小とすべく、一方が他方に対面近接して重ね合わせられる配置をとって相互連結されざるを得ないものとされる。このような二つの配線基板のうちの一方が他方に対面近接して重ね合わせられる連結態様を、以下においては対面近接重ね合わせ連結ということとする。
【０００３】
一般的に、複数の配線基板の相互連結は、各配線基板にコネクタが取り付けられ、それらのコネクタが相互接続されることにより行われることが多く、二つの配線基板についての対面近接重ね合わせ連結をする場合においても、各配線基板に取り付けられるコネクタを用いることが考えられる。従来にあっては、二つの配線基板についての対面近接重ね合わせ連結をするためのコネクタを含んだ基板連結装置が幾つか提案されている（例えば、特許文献１，特許文献２及び特許文献３参照。）。
【０００４】
特許文献１に示される基板連結装置は、第１の配線基板（基板(110))及び第２の配線基板（基板(210))が対面近接重ね合わせ連結の対象とされるもとで、第１の配線基板に取り付けられる第１のコネクタ（コネクタピース(100))と第２の配線基板に取り付けられる第２のコネクタ（コネクタピース(200))とを含んで構成されている。第１のコネクタは、ハウジング(130) に配列配置された複数の第１のコンタクト（コンタクト(120))を備えており、また、第２のコネクタは、ハウジング(230) に配列配置された複数の第２のコンタクト（コンタクト(220))を備えている。そして、複数の第１のコネクタの夫々の先端部は、弾性変形を生じる略Ｕ字状に折り曲げられた部分を形成している。
【０００５】
このようなもとで、第１の配線基板における第１のコネクタが取り付けられた面が第２の配線基板における第２のコネクタが取り付けられた面に対向するものとされて、第１の配線基板が第２の配線基板に対面近接して重ね合わせられる状態がとられ、それにより、第１のコネクタと第２のコネクタとが相互係合せしめられて、第１のコネクタが備える複数の第１のコンタクトの夫々における略Ｕ字状に折り曲げられた部分を形成する先端部が、第２のコネクタが備える複数の第２のコンタクトのうちの対応するものに接触接続される。それにより、第１のコネクタが備える複数の第１のコンタクトと第２のコネクタが備える複数の第２のコンタクトとが相互接続されて、第１の配線基板と第２の配線基板とについての対面近接重ね合わせ連結が行われる。
【０００６】
斯かる際、複数の第１のコンタクトの夫々の先端部が弾性変形を生じる略Ｕ字状に折り曲げられた部分を形成していて、斯かる先端部が、複数の第２のコンタクトのうちの対応するものに、弾性変形による接触圧を作用させるもとで接触接続されるので、複数の第１のコンタクトと複数の第２のコンタクトとの相互接続が確実に行われることが期待される。
【０００７】
また、特許文献２に示される基板連結装置は、第１の配線基板（プリント配線基板(26)) 及び第２の配線基板（プリント配線基板(22)) が対面近接重ね合わせ連結の対象とされるもとで、第１の配線基板に取り付けられる第１のコネクタ（雄型のコネクタ部(24)) と第２の配線基板に取り付けられる第２のコネクタ（雌型のコネクタ部(20)) とを含んで構成されている。第１のコネクタは、第１のハウジング（基台部(24M))に配列配置された複数の第１のコンタクト（コンタクト端子(28Ai),(28Bi))を備えており、また、第２のコネクタは、第２のハウジング（基台部(20M))に配列配置された複数の第２のコンタクト（コンタクト端子(34Ai),(34Bi))を備えている。そして、第１のコネクタにおいては、第１のハウジングに圧入された保持具(30)の嵌合部(30m) に爪部(30N) が形成されており、また、第２のコネクタにおいては、第２のハウジングに圧入された保持具(32)の弾性片(32mr)に突起部(32mn)が形成されている。
【０００８】
このようなもとで、第１の配線基板における第１のコネクタが取り付けられた面が第２の配線基板における第２のコネクタが取り付けられた面に対向するものとされて、第１の配線基板が第２の配線基板に対面近接して重ね合わせられる状態がとられ、それにより、第１のコネクタと第２のコネクタとが相互係合せしめられて、第１のコネクタが備える複数の第１のコンタクトが第２のコネクタが備える複数の第２のコンタクトに夫々接触接続される。それにより、第１のコネクタが備える複数の第１のコンタクトと第２のコネクタが備える複数の第２のコンタクトとが相互接続されて、第１の配線基板と第２の配線基板とについての対面近接重ね合わせ連結が行われる。
【０００９】
斯かる際、第１のコネクタにおける第１のハウジングに圧入された保持具(30)の嵌合部(30m) に形成された爪部(30N) が、第２のコネクタにおける第１のハウジングに圧入された保持具(32)の弾性片(32mr)に形成された突起部(32mn)に係合して、第１のコネクタにおける第１のハウジングの第２のコネクタにおける第２のハウジングからの離脱を阻止する。それにより、第１のコネクタが備える複数の第１のコンタクトと第２のコネクタが備える複数の第２のコンタクトとの相互接続状態が安定に維持され、その結果、第１の配線基板と第２の配線基板とについての対面近接重ね合わせ連結が安定に行われることが期待される。
【００１０】
さらに、特許文献３に示される基板連結装置は、第１の配線基板（プラグ用基板(53)) 及び第２の配線基板（ソケット用基板(33)) が対面近接重ね合わせ連結の対象とされるもとで、第１の配線基板に取り付けられる第１のコネクタ（プラグ(40)) と第２の配線基板に取り付けられる第２のコネクタ（ソケット(10)) とを含んで構成されている。第１のコネクタは、第１のハウジング（絶縁ハウジング(41)) に配列配置された複数の第１のコンタクト（第１端子(42)及び第２端子(43)) を備えており、また、第２のコネクタは、第２のハウジング（絶縁ハウジング(11)) に配列配置された複数の第２のコンタクト（第１接点(12)及び第２接点(13)) を備えている。そして、第１のコネクタにおいては、第１のハウジングに拘止突部(52)が形成されており、また、第２のコネクタにおいては、第２のハウジングに係合窓(29)が形成されたロックバネ(27)が取り付けられている。それに加えて、第１のコネクタが取り付けられた第１の配線基板における、それに取り付けられた第１のコネクタにおける第１のハウジングに形成された拘止突部(52)の先端部に対応する位置に、ロック解除窓(56)が透孔をなすものとして形成されている。
【００１１】
このようなもとで、第１の配線基板における第１のコネクタが取り付けられた面が第２の配線基板における第２のコネクタが取り付けられた面に対向するものとされて、第１の配線基板が第２の配線基板に対面近接して重ね合わせられる状態がとられ、それにより、第１のコネクタと第２のコネクタとが相互係合せしめられて、第１のコネクタが備える複数の第１のコンタクトが第２のコネクタが備える複数の第２のコンタクトに夫々接触接続される。それにより、第１のコネクタが備える複数の第１のコンタクトと第２のコネクタが備える複数の第２のコンタクトとが相互接続されて、第１の配線基板と第２の配線基板とについての対面近接重ね合わせ連結が行われる。
【００１２】
斯かる際、第２のコネクタにおける第２のハウジングに取り付けられたロックバネ(27)に形成された係合窓(29)が、第１のコネクタにおける第１のハウジングに形成された拘止突部(52)に係合して、第１のハウジングに対するロック状態をとり、第１のコネクタにおける第１のハウジングの第２のコネクタにおける第２のハウジングからの離脱を阻止する。それにより、第１のコネクタが備える複数の第１のコンタクトと第２のコネクタが備える複数の第２のコンタクトとの相互接続状態が安定に維持され、その結果、第１の配線基板と第２の配線基板とについての対面近接重ね合わせ連結が安定に行われることが期待される。このとき、それに形成された係合窓(29)に第１のハウジングに形成された拘止突部(52)が係合するものとされたロックバネ(27)は、その先端部分が第１の配線基板に設けられたロック解除窓(56)を通じて第１の配線基板外に臨むものとされる。
【００１３】
その後、第１の配線基板と第２の配線基板とを対面近接重ね合わせ連結状態から解放するにあたっては、第１の配線基板に設けられたロック解除窓(56)を通じて第１の配線基板外に臨むものとされたロックバネ(27)の先端部分が、それに対するロック解除窓(56)における第１の配線基板外からの操作により、ロックバネ(27)に形成された係合窓(29)が第１のハウジングに形成された拘止突部(52)との係合を解除するように変位せしめられ、それにより、ロックバネ(27)に形成された係合窓(29)による第１のハウジングに対するロック状態が解除される。従って、第１のコネクタ及び第２のコネクタの外部からそれらの相互係合状態を解除して、第１の配線基板と第２の配線基板とを対面近接重ね合わせ連結状態から解放することができる状態をとることができる。
【先行技術文献】
【特許文献】
【００１４】
【特許文献１】特開２０００−２６０５０９号公報（段落００３３〜００４３，図４, ５）
【特許文献２】特開２００４−５５３０６号公報（段落００２０〜００３１，図１〜８）
【特許文献３】特開２００６−２４４９５５号公報（段落００２３〜００３４，図１〜５，８，１０，１１，１４，１５）
【発明の概要】
【発明が解決しようとする課題】
【００１５】
上述のような、従来提案されている、幾つかの、二つの配線基板についての対面近接重ね合わせ連結をするためのコネクタを含んだ基板連結装置にあっては、それらの夫々に次のような不都合が見られる。
【００１６】
先ず、特許文献１に示される基板連結装置にあっては、第１のコネクタと第２のコネクタとが相互係合した状態のもとで、第１のコネクタにおける第１のハウジングの第２のコネクタにおける第２のハウジングからの離脱を阻止する機能を果たすロック手段あるいは係止手段が備えられていない。従って、例えば、相互係合した第１のコネクタと第２のコネクタとのうちのいずれか一方もしくは双方に不所望な外力が作用した場合に、第１のコネクタが備える複数の第１のコンタクトと第２のコネクタが備える複数の第２のコンタクトとの相互接続状態が不安定なものとされ、その結果、第１の配線基板と第２の配線基板とについての対面近接重ね合わせ連結が安定に行われなくなってしまう虞がある。
【００１７】
また、特許文献２に示される基板連結装置にあっては、第１のコネクタと第２のコネクタとが相互係合した状態のもとで、第１のコネクタにおける第１のハウジングの第２のコネクタにおける第２のハウジングからの離脱を阻止する機能を果たすロック手段あるいは係止手段として、第１のコネクタにおける第１のハウジングに圧入された保持具(30)の嵌合部(30m) に形成された爪部(30N) と、第２のコネクタにおける第１のハウジングに圧入された保持具(32)の弾性片(32mr)に形成され、それに爪部(30N) が係合する突起部(32mn)とが備えられている。しかしながら、爪部(30N) が形成された保持具(30)の嵌合部(30m) 及び突起部(32mn)が形成された保持具(32)の弾性片(32mr)の夫々の構造上、爪部(30N) の突起部(32mn)との係合は然程堅固なものとはされ得ず、それゆえ、例えば、相互係合した第１のコネクタと第２のコネクタとのうちのいずれか一方もしくは双方に、比較的大なる外力が不所望に作用した場合には、爪部(30N) が突起部(32mn)との係合から外れてしまい、第１のコネクタが備える複数の第１のコンタクトと第２のコネクタが備える複数の第２のコンタクトとの相互接続状態が不安定なものとされ、その結果、第１の配線基板と第２の配線基板とについての対面近接重ね合わせ連結が安定に行われなる虞がある。
【００１８】
さらに、特許文献３に示される基板連結装置にあっては、第１のコネクタと第２のコネクタとが相互係合した状態のもとで、第１のコネクタにおける第１のハウジングの第２のコネクタにおける第２のハウジングからの離脱を阻止する機能を果たすロック手段あるいは係止手段として、第１のコネクタにおける第１のハウジングに形成された拘止突部(52)と、第２のコネクタにおける第２のハウジングに取り付けられたロックバネ(27)に形成され、拘止突部(52)に係合して第１のハウジングに対するロック状態をとる係合窓(29)とが備えられている。しかしながら、第１のハウジングに形成された拘止突部(52)及び係合窓(29)が形成されて第２のハウジングに取り付けられたロックバネ(27)の夫々の構造上、係合窓(29)の拘止突部(52)との係合は然程堅固なものとはされ得ず、それゆえ、例えば、相互係合した第１のコネクタと第２のコネクタとのうちのいずれか一方もしくは双方に、比較的大なる外力が不所望に作用した場合には、係合窓(29)が拘止突部(52)との係合から外れてしまい、第１のコネクタが備える複数の第１のコンタクトと第２のコネクタが備える複数の第２のコンタクトとの相互接続状態が不安定なものとされ、その結果、第１の配線基板と第２の配線基板とについての対面近接重ね合わせ連結が安定に行われなる虞がある。
【００１９】
それに加えて、特許文献３に示される基板連結装置には、第１の配線基板と第２の配線基板とを対面近接重ね合わせ連結状態から解放すべく、第１の配線基板に設けられたロック解除窓(56)を通じて第１の配線基板外に臨むものとされたロックバネ(27)の先端部分を、ロック解除窓(56)において第１の配線基板外から変位させる操作を行うにあたっては、斯かる操作のための特別な工具等が必要とされるという問題がある。
【００２０】
斯かる点に鑑み、本願の特許請求の範囲に記載された発明は、第１の配線基板と第２の配線基板とを対面近接重ね合わせ連結によって電気的に相互連結するための機構を成すものであって、第１の配線基板に固定される第１のハウジングを有した第１のコネクタと第２の配線基板に固定される第２のハウジングを有した第２のコネクタとを含んで構成され、第１のコネクタと第２のコネクタとが相互係合した状態のもとで、第２のコネクタにおける第２のハウジングの第１のコネクタにおける第１のハウジングからの不所望な離脱を阻止する係止手段を備え、斯かる手段により第１のコネクタと第２のコネクタとの相互係合状態を極めて安定かつ堅固に維持することができ、また、第１のコネクタと第２のコネクタとを相互係合状態から解放するにあたっては、特別な工具等の使用を必要としない極めて簡単で容易な操作により、しかも、第１のコネクタ及び第２のコネクタのいずれにも不所望な力を作用させることなく、第２のコネクタにおける第２のハウジングを第１のコネクタにおける第１のハウジングから離脱させることができる配線基板連結装置を提供する。
【課題を解決するための手段】
【００２１】
本願の特許請求の範囲における請求項１から請求項７までのいずれかに記載された発明（以下、本願発明という。）に係る配線基板連結装置は、第１の配線基板に固定される第１のハウジング、及び、各々が第１の配線基板に設けられた配線端子部に接続される基板接続部を有して第１のハウジングに配列配置された複数の第１のコンタクトを備えた第１のコネクタと、第２の配線基板に固定され、第１のハウジングとの係合状態をとる第２のハウジング，各々が第２の配線基板に設けられた配線端子部に接続される基板接続部を有して第２のハウジングに配列配置され、複数の第１のコンタクトに夫々接触接続される状態をとる複数の第２のコンタクト、及び、第２のハウジングに対して移動可能に設けられて押込み位置と引揚げ位置とを選択的にとる可動操作部材を備えた第２のコネクタとを含んで構成される。そして、第１のハウジングに第１の係合係止部が設けられるとともに、第２のハウジングに第２の係合係止部が設けられ、第２のハウジングが第１のハウジングとの係合状態をとるとき、複数の第２のコンタクトが複数の第１のコンタクトに夫々接触接続されて、第２の配線基板が第１の配線基板に電気的に連結されるとともに、第２の係合係止部が第１の係合係止部に係合して第２のハウジングを第１のハウジングに対して係止し、第２の係合係止部が第１の係合係止部に対する係合状態をとる。さらに、斯かるもとで、可動操作部材が押込み位置をとるとき、その可動操作部材によって第２の係合係止部の第１の係合係止部に対する係合状態の解除が禁止され、また、可動操作部材が引揚げ位置をとるとき、第２の係合係止部の第１の係合係止部に対する係合状態の解除が許容される。
【００２２】
上述のような本願発明に係る配線基板連結装置にあっては、第１の配線基板における第１のコネクタが有する第１のハウジングが固定された面が、第２の配線基板における第２のコネクタが有する第２のハウジングが固定された面に対向するものとされて、第１の配線基板が第２の配線基板に対面近接して重ね合わせられたとき、第２のハウジングが第１のハウジングとの係合状態をとる。このとき、第２のハウジングに配列配置された複数の第２のコンタクトが、第１のハウジングに配列配置された複数の第１のコンタクトに、夫々接触接続される。それにより、第１のコネクタと第２のコネクタとは相互係合状態におかれて、第２の配線基板に設けられた複数の配線端子部が、複数の第２のコンタクト及び複数の第１のコンタクトを介して、第１の配線基板に設けられた複数の配線端子部に夫々接続され、その結果、第１の配線基板と第２の配線基板とが対面近接重ね合わせ連結によって電気的に相互連結される。
【００２３】
また、その際、第２のハウジングに設けられた第２の係合係止部が、第１のハウジングに設けられた第１の係合係止部に係合して、第２のハウジングを第１のハウジングに対して係止し、第２の係合係止部が第１の係合係止部に対する係合状態をとる。そして、斯かるもとで、第２のハウジングに対して移動可能に設けられた可動操作部材が、例えば、第２の配線基板から第１の配線基板に向かう方向に押し込まれて押込み位置をとるものとされると、その可動操作部材によって第２の係合係止部の第１の係合係止部に対する係合状態の解除が禁止され、また、例えば、第１の配線基板から第２の配線基板に向かう方向に引き揚げられて引揚げ位置をとるとき、第２の係合係止部の第１の係合係止部に対する係合状態の解除が許容される。即ち、第１の係合係止部と第２の係合係止部とは、第２のコネクタにおける第２のハウジングの第１のコネクタにおける第１のハウジングからの不所望な離脱を阻止する係止手段を構成しているのである。
【００２４】
斯かる係止手段にあっては、第２のハウジングが第１のハウジングとの係合状態をとったとき、例えば、第２のハウジングに設けられた第２の係合係止部が第１のハウジングに設けられた第１の係合係止部に対して移動可能とされ、斯かるもとで、可動操作部材が押込み位置をとるときには、当該可動操作部材が第２の係合係止部の第１の係合係合部に対する移動を阻止し、それにより、第２の係合係止部の第１の係合係止部に対する係合状態の解除が禁止される。また、可動操作部材が引揚げ位置をとるときには、第２の係合係止部の第１の係合係止部に対する移動が可能とされ、それにより、第２の係合係止部の第１の係合係止部に対する係合状態の解除が許容される。
【００２５】
可動操作部材によって第２の係合係止部の第１の係合係止部に対する係合状態の解除が禁止されたもとにあっては、第２のハウジングが第１のハウジングとの係合状態を維持し、それに伴って、複数の第２のコンタクトが複数の第１のコンタクトとの接触接続状態を維持して、第１のコネクタと第２のコネクタとが相互係合状態を極めて安定かつ堅固に維持する。また、第２の係合係止部の第１の係合係止部に対する係合状態の解除が許容されるもとにあっては、第２のハウジングが第１のハウジングとの係合状態を解除し得るものとされて、第１のコネクタと第２のコネクタとが相互係合状態から解放され得るものとなる。
【００２６】
可動操作部材に押込み位置をとらせるための操作及び可動操作部材に引揚げ位置をとらせるための操作は、特別な工具等を用いることなく可動操作部材に直接に加えられる極めて簡単で容易なものとされる。斯かる操作のため、可動操作部材は、例えば、押込み位置をとるとき、その一部が第２の配線基板に設けられた透孔内に配される位置をとるとともに、引揚げ位置をとるとき、その一部が第２の配線基板に設けられた透孔から第２の配線基板外に突出する位置をとるものとされ、また、他の部分が第２の配線基板に固定された第２のハウジング内に伸びるものとされる。
【発明の効果】
【００２７】
本願発明に係る配線基板連結装置にあっては、第１のコネクタと第２のコネクタとが相互係合した状態におかれ、第２のハウジングが第１のハウジングとの係合状態をとり、第２のハウジングに配列配置された複数の第２のコンタクトが第１のハウジングに配列配置された複数の第１のコンタクトに夫々接触接続されたとき、第２のハウジングに設けられた第２の係合係止部が、第１のハウジングに設けられた第１の係合係止部に係合して、第２のハウジングを第１のハウジングに対して係止する係合状態をとる。そして、このようなもとで、可動操作部材が押込み位置をとるものとされて、それにより第２の係合係止部の第１の係合係止部に対する係合状態の解除が禁止され、第２のハウジングの第１のハウジングからの不所望な離脱が阻止される。その際、例えば、第２の係合係止部が第１の係合係止部に対して移動可能とされ、斯かるもとで、押込み位置をとる可動操作部材が第２の係合係止部の第１の係合係止部に対する移動を阻止し、それにより、第２の係合係止部の第１の係合係止部に対する係合状態の解除が禁止される。
【００２８】
従って、本願発明に係る配線基板連結装置によれば、第１のハウジングに設けられた第１の係合係止部と第２のハウジングに設けられた第２の係合係止部とが、第２のコネクタにおける第２のハウジングの第１のコネクタにおける第１のハウジングからの不所望な離脱を阻止する係止手段を構成するもとにおいて、第１の係合係止部に係合した係合状態をとる第２の係合係止部が、押込み位置をとる可動操作部材によって第１の係合係止部との係合状態の解除が禁止されるものとされるので、第２のハウジングが第１のハウジングとの係合状態をとり、それに伴って、第２のハウジングに配列配置された複数の第２のコンタクトが第１のハウジングに配列配置された複数の第１のコンタクトとの接触接続状態をとる、第１のコネクタと第２のコネクタとの相互係合状態を、極めて安定かつ堅固に維持することができる。
【００２９】
第１のコネクタと第２のコネクタとが相互係合した状態におかれ、第２のハウジングが第１のハウジングとの係合状態をとったもとで、可動操作部材に押込み位置をとらせる操作は、例えば、その一部が第２のハウジングが固定された第２の配線基板に設けられた透孔から第２の配線基板外に突出するものとされる引揚げ位置をとる可動操作部材を、第２の配線基板から第１のハウジングが固定された第１の配線基板に向かう方向に押し込むだけの、極めて簡単で容易なものとされる。従って、特別な工具等の使用を必要としない極めて簡単で容易な操作により、しかも、第１のコネクタ及び第２のコネクタのいずれにも不所望な力を作用させることなく、第２のハウジングに設けられた第２の係合係止部を第１のハウジングに設けられた第１の係合係止部との係合状態の解除が禁止される状態におくことができることになる。
【００３０】
さらに、本願発明に係る配線基板連結装置にあっては、第２のハウジングに設けられた第２の係合係止部が第１のハウジングに設けられた第１の係合係止部との係合状態をとるもとで、押込み位置をとっていた可動操作部材が引揚げ位置をとるものとされると、可動操作部材による第２の係合係止部の第１の係合係止部との係合状態の解除禁止が解かれる。それにより、第２の係合係止部の第１の係合係止部に対する移動が可能とされ、第２の係合係止部の第１の係合係止部に対する係合状態の解除が許容されて、第１のコネクタと第２のコネクタとを相互係合状態から解放することができる状態が得られる。
【００３１】
斯かるもとで、第１のコネクタと第２のコネクタとが相互係合した状態におかれ、第２のハウジングが第１のハウジングとの係合状態をとったもとで、押込み位置をとっていた可動操作部材に引揚げ位置をとらせる操作は、例えば、その一部が第２のハウジングが固定された第２の配線基板に設けられた透孔内に配されて押込み位置をとる可動操作部材を、第１のハウジングが固定された第１の配線基板から第２の配線基板に向かう方向に引き揚げるだけの、極めて簡単で容易なものとされる。従って、特別な工具等の使用を必要としない極めて簡単で容易な操作により、しかも、第１のコネクタ及び第２のコネクタのいずれにも不所望な力を作用させることなく、第２のハウジングに設けられた第２の係合係止部の第１のハウジングに設けられた第１の係合係止部との係合状態の解除禁止を解いて、第１のコネクタと第２のコネクタとを相互係合状態から解放することができる状態におくことができることになる。
【００３２】
また、本願発明に係る配線基板連結装置にあっては、第１のコネクタと第２のコネクタとが相互係合した状態におかれて第２のハウジングが第１のハウジングとの係合状態をとったとき、可動操作部材が、例えば、その一部が第２のハウジングが固定された第２の配線基板に設けられた透孔内に配される押込み位置をとり、第２のコネクタの外部及び第２の配線基板の外部のいずれにも突出しないものとされるが、斯かるもとにおいては、第１の配線基板と第２の配線基板との間に配される第１のコネクタ及び第２のコネクタを含んだ装置全体の薄型化を図ることができる。
【図面の簡単な説明】
【００３３】
【図１】本願発明に係る配線基板連結装置の一例を構成するリセプタクルコネクタをそのハウジングが固定された第１の配線基板と共に示す斜視図である。
【図２】図１に示されるリセプタクルコネクタと第１の配線基板とを示す平面図である。
【図３】本願発明に係る配線基板連結装置の一例を構成するプラグコネクタの部分をプラグコネクタのハウジングが固定された第２の配線基板と共に示す斜視図である。
【図４】本願発明に係る配線基板連結装置の一例を構成するプラグコネクタを示す斜視図である。
【図５】図４に示されるプラグコネクタを示す平面図である。
【図６】図４に示されるプラグコネクタをそのハウジングが固定された第２の配線基板と共に示す底面図である。
【図７】図１に示される第１の配線基板を伴ったリセプタクルコネクタと図４に示されるプラグコネクタとが相互対向配置された状態を示す斜視図である。
【図８】相互対向配置された第１の配線基板を伴ったリセプタクルコネクタと第２の配線基板を伴ったプラグコネクタとの夫々の部分を示す部分断面図である。
【図９】図１に示される第１の配線基板を伴ったリセプタクルコネクタと図４に示されるプラグコネクタとが相互係合し、プラグコネクタに備えられた可動操作部材が引揚げ位置をとる状態を示す斜視図である。
【図１０】第１の配線基板を伴ったリセプタクルコネクタと第２の配線基板を伴ったプラグコネクタとが相互係合し、プラグコネクタに備えられた可動操作部材が引揚げ位置をとる状態を部分的に示す部分断面図である。
【図１１】図１に示される第１の配線基板を伴ったリセプタクルコネクタと図４に示されるプラグコネクタとが相互係合し、プラグコネクタに備えられた可動操作部材が押込み位置をとる状態を示す斜視図である。
【図１２】第１の配線基板を伴ったリセプタクルコネクタと第２の配線基板を伴ったプラグコネクタとが相互係合し、プラグコネクタに備えられた可動操作部材が押込み位置をとる状態を部分的に示す部分断面図である。
【図１３】第１の配線基板を伴ったリセプタクルコネクタと第２の配線基板を伴ったプラグコネクタとが相互係合し、プラグコネクタに備えられた可動操作部材が押込み位置をとる状態を示す断面図である。
【発明を実施するための形態】
【００３４】
本願発明を実施するための形態は、以下に述べられる本願発明についての実施例をもって説明される。
【実施例】
【００３５】
図１（斜視図）及び図２（平面図）は、本願発明に係る配線基板連結装置の一例を構成する第１のコネクタを成すリセプタクルコネクタ１１及びリセプタクルコネクタ１１が取り付けられた第１の配線基板１２を示す。リセプタクルコネクタ１１は、合成樹脂等の絶縁材料によって形成されたハウジング１３を備えており、ハウジング１３は第１の配線基板１２における面の一つに固定されている。
【００３６】
ハウジング１３には、各々が弾性を有した導電性板材により形成された屈曲帯状部材を成す複数のリセプタクル側コンタクト（第１のコンタクト）１４が、相互対向する２個の列を成して配列配置されている。複数のリセプタクル側コンタクト１４の夫々には、第１の配線基板１２に設けられた配線端子部（図示が省略されている。）に接続される基板接続部１４ａと、後述される第２のコネクタを成すプラグコネクタに備えられるプラグ側コンタクトに当接する接触接続部１４ｂとが、夫々帯状部材の両端部分を成すものとして設けられている。
【００３７】
また、ハウジング１３には、複数のリセプタクル側コンタクト１４の配列方向（以下、第１のコンタクト配列方向という。）における相互対向端部１５の夫々の内壁面部に、後述される第２のコネクタを成すプラグコネクタに備えられるハウジングに係合する係合係止部（第１の係合係止部）１６が設けられている。係合係止部１６は、相互対向端部１５の夫々の内壁面部において第１のコンタクト配列方向に直交する方向に伸びて外方に突出する突起部を形成しており、ハウジング１３に固定されて設けられたものとされている。
【００３８】
さらに、ハウジング１３には、一対の固定金属部材１７がハウジング１３の周側壁部の外面を部分的に覆う状態をもって装着されている。各固定金属部材１７は、第１のコンタクト配列方向に伸びる平板状部分１７ａと平板状部分１７ａの両端の夫々において屈曲されて第１のコンタクト配列方向に直交する方向に突出する端部１７ｂとを有していて、一対の平板状部分１７ａは、第１のコンタクト配列方向に直交する方向において相互対向するものとして配置されている。
【００３９】
図３（斜視図）及び図６（底面図）は、本願発明に係る配線基板連結装置の一例を、図１及び図２に示されるリセプタクルコネクタと共に構成する、第２のコネクタを成すプラグコネクタ２１の部分及びプラグコネクタ２１が取り付けられた第２の配線基板２２を示す。図３においては、プラグコネクタ２１は、第２の配線基板２２の図３における下面側に取り付けられている。そして、第２の配線基板２２には、その中央部分に矩形の透孔２３が形成されており、プラグコネクタ２１の一部分が、透孔２３を通じて、第２の配線基板２２の図３における上面側の外部に導出されている。
【００４０】
図４（斜視図）及び図５（平面図）は、プラグコネクタ２１を、それが取り付けられた第２の配線基板２２を取り除いた状態をもって示し、また、図６（底面図）は、プラグコネクタ２１及びプラグコネクタ２１が取り付けられた第２の配線基板２２を示す。
【００４１】
図４〜図６に示されるように、プラグコネクタ２１は、合成樹脂等の絶縁材料によって形成されたハウジング２４を備えており、ハウジング２４は第２の配線基板２２の面の一つに固定されている。ハウジング２４には、各々が弾性を有した導電性板材により形成された屈曲帯状部材を成す複数のプラグ側コンタクト（第２のコンタクト）２５が、相互対向する２個の列を成して配列配置されている。複数のプラグ側コンタクト２５の夫々には、第２の配線基板２２に設けられた配線端子部（図示が省略されている。）に接続される基板接続部２５ａと、第１のコネクタを成すリセプタクルコネクタ１１が備えるリセプタクル側コンタクト１４に設けられた接触接続部１４ｂが当接するものとされる接触接続部２５ｂとが、プラグ側コンタクト２５の部分を成すものとして設けられている。
【００４２】
また、ハウジング２４には、複数のプラグ側コンタクト２５の配列方向（以下、第２のコンタクト配列方向という。）における両端部分に、各々が第２のコンタクト配列方向に直交する方向に拡がる可動板状部材を成す一対の弾性支持部２７が、第２のコンタクト配列方向において各々の内面部を相互対向させるものとして夫々形成されている。そして、一対の弾性支持部２７の夫々における第２の配線基板２２から離隔した先端部分には、リセプタクルコネクタ１１のハウジング１３に固定されて設けられた係合係止部１６との係合状態をとる係合係止部（第２の係合係止部）２８が、第２のコンタクト配列方向に直交する方向に伸びて外方に突出する突起部を成すものとして設けられている。係合係止部２８は、ハウジング１３に形成された可動板状部材を成す弾性支持部２７における第２の配線基板２２から離隔した先端部分に設けられていることにより、係合係止部１６との係合状態をとるにあたり、当該係合係止部１６に対して移動可能とされる。
【００４３】
さらに、プラグコネクタ２１は、ハウジング２４に対して移動可能に設けられた可動操作部材３０を備えている。可動操作部材３０は、その全体が、例えば、棒状金属材料に屈曲加工が施されて形成されて第２のコンタクト配列方向に伸びる棒状部材とされ、ハウジング２４外において第２のコンタクト配列方向に沿う中間部分３１と、中間部分３１の両端部に夫々設けられてハウジング２４の内部へと伸びる屈曲部分３２とを有している。中間部分３１には、薄いシート材によって形成された操作タグ３３が装着されている。
【００４４】
そして、可動操作部材３０は、操作タグ３３が装着された中間部分３１が第２の配線基板２２に形成された透孔２３内に配されることになる押込み位置と、操作タグ３３が装着された中間部分３１が第２の配線基板２２に形成された透孔２３から第２の配線基板２２外に突出することになる引揚げ位置とを選択的にとる。可動操作部材３０が押込み位置をとるものとされるときには、例えば、引揚げ位置をとる可動操作部材３０に、その中間部分３１をハウジング２４に向かう方向に変位させる押込み操作が加えられ、また、可動操作部材３０が引揚げ位置をとるものとされるときには、例えば、押込み位置をとる可動操作部材３０に、その中間部分３１をハウジング２４から離隔する方向に変位させる引揚げ操作が加えられる。可動操作部材３０に加えられる、その中間部分３１をハウジング２４から離隔する方向に変位させる引揚げ操作は、例えば、中間部分３１に装着された操作タグ３３が引き揚げられることによって行われる。
【００４５】
可動操作部材３０の中間部分３１の両端部の夫々からハウジング２４の内部へと伸びる屈曲部分３２は、その先端の端面部が弾性支持部２７の内面部に当接する当接押圧部３５を形成するものとされている。斯かる屈曲部分３２の当接押圧部３５は、可動操作部材３０が引揚げ位置をとるとき、ハウジング２４に形成された弾性支持部２７における第２の配線基板２２に近接した先端部分の内面部に当接し、また、可動操作部材３０が押込み位置をとるとき、ハウジング２４に形成された弾性支持部２７における第２の配線基板２２から離隔した先端部分の内面部に当接し、斯かる先端部分に設けられた係合係止部２８を、弾性支持部２７における第２の配線基板２２から離隔した先端部分を介して、その突出方向に押圧する。それにより、係合係止部２８の変位が規制される。
【００４６】
さらに、プラグコネクタ２１は、ハウジング２４における第２の配線基板２２に対接する部分に固定された一対の位置規制部材４０を備えている。一対の位置規制部材４０の夫々は、例えば、金属板材に打抜き屈曲加工が施されて形成されたものとされ、可動操作部材３０が引揚げ位置をとるとき、当該可動操作部材３０の屈曲部分３２に当接して、その屈曲部分３２の引揚げ変位を制限し、それにより、可動操作部材３０の引揚げ位置を規制する。
【００４７】
このようなもとで、第２の配線基板２２におけるプラグコネクタ２１が有するハウジング２４が固定された面が第１の配線基板１２におけるリセプタクルコネクタ１１が有するハウジング１３が固定された面に対向するものとされて、第２の配線基板２２が第１の配線基板１２に対面近接して重ね合わせられるとき、本願発明に係る配線基板連結装置の一例を構成する第１のコネクタと第２のコネクタとを夫々成すリセプタクルコネクタ１１とプラグコネクタ２１とが相互係合状態をとる。斯かる際には、先ず、図７に示されるように、第１の配線基板１２を伴ったリセプタクルコネクタ１1 と第２の配線基板２２を伴ったプラグコネクタ２１とが相互対向配置される。
【００４８】
このとき、プラグコネクタ２１のハウジング２４に配列配置された複数のプラグ側コンタクト２５が、リセプタクルコネクタ１１のハウジング１３に配列配置された複数のリセプタクル側コンタクト１４に夫々対応する位置をとるものとされ、また、図８に示されるように、プラグコネクタ２１のハウジング２４に形成された弾性支持部２７に設けられた係合係止部２８が、リセプタクルコネクタ１１のハウジング１３に設けられた係合係止部１６に対応する位置をとるものとされる。さらに、図７及び図８に示されるように、プラグコネクタ２１が備える可動操作部材３０が引揚げ位置をとるものとされ、図８に示されるように、可動操作部材３０における屈曲部分３２が、位置規制部材４０に当接して引揚げ変位が制限された状態におかれ、可動操作部材３０における屈曲部分３２の先端に形成された当接押圧部３５が、ハウジング２４に形成された弾性支持部２７における第２の配線基板２２に近接した先端部分の内面部に当接したものとされる。
【００４９】
次に、第２の配線基板２２が、プラグコネクタ２１が有するハウジング２４が固定された面を、第１の配線基板１２のリセプタクルコネクタ１１が有するハウジング１３が固定された面に近接させる位置をとって、第２の配線基板２２が第１の配線基板１２に対面近接して重ね合わせられると、図９及び図１０に示されるように、第２の配線基板２２を伴ったプラグコネクタ２１と第１の配線基板１２を伴ったリセプタクルコネクタ１１とが相互係合状態におかれる。
【００５０】
斯かる際には、プラグコネクタ２１のハウジング２４に配列配置された複数のプラグ側コンタクト２５における接触接続部２５ｂがリセプタクルコネクタ１１のハウジング１３に配列配置された複数のリセプタクル側コンタクト１４における接触接続部１４ｂに夫々接触接続される。それにより、複数のプラグ側コンタクト２５における基板接続部２５ａが夫々接続された第２の配線基板２２に設けられた複数の配線端子部が、複数のプラグ側コンタクト２５及び複数のリセプタクル側コンタクト１４を介して、複数のリセプタクル側コンタクト１４における基板接続部１４ａが夫々接続された第１の配線基板１２に設けられた複数の配線端子部に夫々連結され、第１の配線基板１２と第２の配線基板２２とが電気的に相互連結される。
【００５１】
またこのとき、図１０に示されるように、プラグコネクタ２１のハウジング２４に形成された弾性支持部２７に設けられた係合係止部２８が、リセプタクルコネクタ１１のハウジング１３に設けられた係合係止部１６との係合状態をとり、係合係止部１６と係合係止部２８とが、プラグコネクタ２１のハウジング２４に対する係止を行う。それにより、プラグコネクタ２１のハウジング２４のリセプタクルコネクタ１１のハウジング１３からの不所望な離脱が阻止される。
【００５２】
係合係止部２８が係合係止部１６との係合状態をとるにあたっては、プラグコネクタ２１とリセプタクルコネクタ１１とが相互係合するに伴って、係合係止部２８が係合係止部１６に近接していき、その後、係合係止部１６を乗り越える動作が行われるが、斯かる動作は、係合係止部２８が設けられた弾性支持部２７がハウジング１３に形成された可動板状部材を成すものとされていて、係合係止部２８が係合係止部１６に対して移動可能とされていることにより可能とされている。また、このとき、プラグコネクタ２１が備える可動操作部材３０は、引揚げ位置を維持しており、図１０に示されるように、可動操作部材３０における屈曲部分３２の先端に形成された当接押圧部３５は、ハウジング２４に形成された弾性支持部２７における第２の配線基板２２に近接した先端部分の内面部に当接している。
【００５３】
その後、引揚げ位置をとる可動操作部材３０に、例えば、その中間部分３１をハウジング２４に向かう方向に変位させる押込み操作が加えられて、図１１及び図１２に示されるように、可動操作部材３０が押込み位置をとるものとされると、図１２及び図１３に示されるように、操作タグ３３が装着された可動操作部材３０の中間部分３１が、第２の配線基板２２に形成された透孔２３内に配され、また、可動操作部材３０における屈曲部分３２が、ハウジング２４の内部に形成された案内部による案内を受けつつ第２の配線基板２２から離隔するように移動せしめられて第１の配線基板１２に近接した位置をとるものとされて、屈曲部分３２の先端に形成された当接押圧部３５が、ハウジング２４に形成された弾性支持部２７における第２の配線基板２２から離隔した先端部分の内面部に当接し、斯かる先端部分に設けられてリセプタクルコネクタ１１のハウジング１３に設けられた係合係止部１６との係合状態をとる係合係止部２８を、弾性支持部２７における第２の配線基板２２から離隔した先端部分を介して、その突出方向に押圧する。それにより、係合係止部２８の係合係止部１６に対する変位が規制されて、係合係止部２８の係合係止部１６に対する係合状態の解除が禁止される。その結果、図１３に示されるように、プラグコネクタ２１のハウジング２４に配列配置された複数のプラグ側コンタクト２５における接触接続部２５ｂがリセプタクルコネクタ１１のハウジング１３に配列配置された複数のリセプタクル側コンタクト１４における接触接続部１４ｂに夫々接触接続された状態が継続される、プラグコネクタ２１が備えるハウジング２４のリセプタクルコネクタ１１が備えるハウジング１３からの不所望な離脱が阻止される状態が、極めて堅固に維持されることになる。
【００５４】
このようにして、リセプタクルコネクタ１１とプラグコネクタ２１とが相互係合した状態におかれて、プラグコネクタ２１のハウジング２４がリセプタクルコネクタ１１のハウジング１３との係合状態をとったとき、プラグコネクタ２１が備える可動操作部材３０が、その中間部分３１をハウジング２４が固定された第２の配線基板２２に設けられた透孔２３内に配されるものとする押込み位置をとり、プラグコネクタ２１の外部及び第２の配線基板２２の外部のいずれにも突出しないものとされることにより、第１の配線基板１２と第２の配線基板２２との間に配されるリセプタクルコネクタ１１及びプラグコネクタ２１を含んだ配線基板連結装置がその全体の薄型化を図ることができるものとされる。
【００５５】
リセプタクルコネクタ１１とプラグコネクタ２１とが相互係合したもとで、必要に応じて、例えば、可動操作部材３０の中間部分３１に装着された操作タグ３３が引き揚げられる操作が行われ、それに伴って可動操作部材３０が引揚げ位置をとるものとされるときには、可動操作部材３０における屈曲部分３２が、ハウジング２４の内部に形成された案内部による案内を受けつつ第１の配線基板１２から離隔するように移動せしめられて第２の配線基板２２に近接した位置をとるものとされ、屈曲部分３２の先端に形成された当接押圧部３５が、ハウジング２４に形成された弾性支持部２７における第２の配線基板２２に近接した先端部分の内面部に当接するものとされる。それにより、弾性支持部２７における第２の配線基板２２から離隔した先端部分に設けられた係合係止部２８が、リセプタクルコネクタ１１のハウジング１３に設けられた係合係止部１６に対して移動可能とされて、係合係止部２８の係合係止部１６に対する係合状態の解除が許容される。その結果、プラグコネクタ２１が備えるハウジング２４のリセプタクルコネクタ１１が備えるハウジング１３からの離脱が可能とされて、リセプタクルコネクタ１１とプラグコネクタ２１とが相互係合状態を解除し得るものとされる。
【００５６】
上述のようなリセプタクルコネクタ１１とプラグコネクタ２１とを含んで構成される本願発明に係る配線基板連結装置の一例によれば、リセプタクルコネクタ１１のハウジング１３に設けられた係合係止部１６とプラグコネクタ２１のハウジング２４に設けられた係合係止部２８とが、プラグコネクタ２１のハウジング２４のリセプタクルコネクタ１１のハウジング１３からの不所望な離脱を阻止する係止手段を構成するもとにおいて、係合係止部１６に係合した係合状態をとる係合係止部２８が、押込み位置をとる可動操作部材３０の屈曲部分３２の先端に形成された当接押圧部３５によって、係合係止部１６との係合状態の解除が禁止されるものとされるので、プラグコネクタ２１のハウジング２４がリセプタクルコネクタ１１のハウジング１３との係合状態をとり、それに伴って、プラグコネクタ２１のハウジング２４に配列配置された複数のプラグ側コンタクト２５における接触接続部２５ｂがリセプタクルコネクタ１１のハウジング１３に配列配置された複数のリセプタクル側コンタクト１４における接触接続部１４ｂとの接触接続状態をとる、リセプタクルコネクタ１１とプラグコネクタ２１との相互係合状態を、極めて安定かつ堅固に維持することができる。
【００５７】
そして、リセプタクルコネクタ１１とプラグコネクタ２１とが相互係合した状態におかれ、プラグコネクタ２１のハウジング２４がリセプタクルコネクタ１１のハウジング１３との係合状態をとったもとで、可動操作部材３０に押込み位置をとらせる操作は、例えば、中間部分３１がプラグコネクタ２１のハウジング２４が固定された第２の配線基板２２に形成された透孔２３から第２の配線基板２２外に突出するものとされる引揚げ位置をとる可動操作部材３０を、第２の配線基板２２からリセプタクルコネクタ１１のハウジング１３が固定された第１の配線基板１２に向かう方向に押し込むだけの、極めて簡単で容易なものとされる。従って、特別な工具等の使用を必要としない極めて簡単で容易な操作により、しかも、リセプタクルコネクタ１１及びプラグコネクタ２１のいずれにも不所望な力を作用させることなく、プラグコネクタ２１のハウジング２４に設けられた係合係止部２８を、リセプタクルコネクタ１１のハウジング１３に設けられた係合係止部１６との係合状態の解除が禁止される状態におくことができることになる。
【００５８】
さらに、本願発明に係る配線基板連結装置にあっては、リセプタクルコネクタ１１とプラグコネクタ２１とが相互係合した状態におかれ、プラグコネクタ２１のハウジング２４がリセプタクルコネクタ１１のハウジング１３との係合状態をとったもとで、押込み位置をとっていた可動操作部材３０に引揚げ位置をとらせる操作は、例えば、その中間部分３１にプラグコネクタ２１のハウジング２４が固定された第２の配線基板２２に形成された透孔２３内に配される状態をとらせて押込み位置をとる可動操作部材３０を、リセプタクルコネクタ１１のハウジング１３が固定された第１の配線基板１２から第２の配線基板２２に向かう方向に引き揚げるだけの、極めて簡単で容易なものとされる。従って、特別な工具等の使用を必要としない極めて簡単で容易な操作により、しかも、リセプタクルコネクタ１１及びプラグコネクタ２１のいずれにも不所望な力を作用させることなく、プラグコネクタ２１のハウジング２４に設けられた係合係止部２８のリセプタクルコネクタ１１のハウジング１３に設けられた係合係止部１６との係合状態を解いて、リセプタクルコネクタ１１とプラグコネクタ２１とを相互係合状態から解放することができる状態におくことができることになる。
【産業上の利用可能性】
【００５９】
以上のような本願発明に係る配線基板連結装置は、第１の配線基板と第２の配線基板とを対面近接重ね合わせ連結によって電気的に相互連結するための機構を成すものであって、第１の配線基板を伴った第１のコネクタと第２の配線基板を伴った第２のコネクタとを含んで構成され、第２のコネクタにおける第２のハウジングの第１のコネクタにおける第１のハウジングからの不所望な離脱を阻止する係止手段を備え、斯かる手段により第１のコネクタと第２のコネクタとの相互係合状態を極めて安定かつ堅固に維持することができ、また、特別な工具等の使用を必要としない極めて簡単で容易な操作により、しかも、第１のコネクタ及び第２のコネクタのいずれにも不所望な力を作用させることなく、第２のコネクタにおける第２のハウジングを第１のコネクタにおける第１のハウジングから離脱させることができるものとして、様々な電子機器等に広く適用され得るものである。
【符号の説明】
【００６０】
１1 ・・・リセプタクルコネクタ（第１のコネクタ），  １２・・・第１の配線基板，    １３，２４・・・ハウジング，  １４・・・リセプタクル側コンタクト（第１のコンタクト），  １４ａ，２５ａ・・・基板接続部，  １４ｂ，２５ｂ・・・接触接続部，    １５・・・相互対向端部，  １６，２８・・・係合係止部，  １７・・・固定金属部材，  ２１・・・プラグコネクタ，  ２２・・・第２の配線基板，  ２３・・・透孔，  ２５・・・プラグ側コンタクト（第２のコンタクト），  ２７・・・弾性支持部，  ３０・・・可動操作部材，  ３１・・・中間部分，  ３２・・・屈曲部分，  ３３・・・操作タグ，  ３５・・・当接押圧部，  ４０・・・位置規制部材
【図１】
0005846430.tif 000002
【図２】
0005846430.tif 000003
【図３】
0005846430.tif 000004
【図４】
0005846430.tif 000005
【図５】
0005846430.tif 000006
【図６】
0005846430.tif 000007
【図７】
0005846430.tif 000008
【図８】
0005846430.tif 000009
【図９】
0005846430.tif 000010
【図１０】
0005846430.tif 000011
【図１１】
0005846430.tif 000012
【図１２】
0005846430.tif 000013
【図１３】
0005846430.tif 000014